【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
装置と通信するためのヘッドセットであって、
ヘッドセットによって取得されたオーディオ信号のサンプリングされた表示を処理するとともに、オーディオ信号がユーザの音声を含むことを決定する音声検出回路を用いるように構成され、
さらに、オーディオ信号内にユーザの音声が検出されたという決定に基づいて、取得されたオーディオ信号のサンプリングされた表示を装置に送信するように構成されたヘッドセット。
【請求項２】
取得された信号のサンプリングされた表示として信号フレームを創成するよう構成されたフィルタを備え、ヘッドセットは、ユーザの音声が検出されたときに信号フレームを送信する請求項１に記載のヘッドセット。
【請求項３】
前記音声検出回路は、ユーザの音声を検出するために、取得されたオーディオ信号のサンプリングされたフレーム表示を分析するように構成され、
該音声検出回路は、信号表示の装置への送信を選択的に制御するよう構成された請求項１または２のいずれか1項に記載のヘッドセット。
【請求項４】
オーディオ信号のディジタル化された表示を形成するためのディジタル化回路を含む請求項１〜３のいずれか１項に記載のヘッドセット。
【請求項５】
装置への送信のためにオーディオ信号のディジタル化された表示のサンプリングされたスペクトル表示を形成するための処理回路をさらに備える請求項４に記載のヘッドセット。
【請求項６】
取得されたオーディオ信号のサンプリングされた信号表示を無線送信するよう結合された無線送信回路をさらに備える請求項１に記載のヘッドセット。
【請求項７】
ヘッドセットによって取得されたオーディオ信号のサンプリングされたスペクトル表示を形成するよう構成され、ユーザの音声を検出するために、サンプリングされたスペクトル表示を分析する請求項１に記載のヘッドセット。
【請求項８】
前記装置は、音声認識コンピュータである請求項１に記載のヘッドセット。
【請求項９】
オーディオ信号を受信するためのマイクロフォンと、
ユーザの音声を検出するために、オーディオ信号のサンプリングされた表示を分析するよう構成された処理回路とを具備し、
前記処理回路は、ユーザの音声が検出されたときに、サンプリングされた表示を前記装置に送信するよう構成され、かつユーザの音声が検出されないときに、概して、前記装置に送信しないよう構成された請求項１に記載のヘッドセット。
【請求項１０】
処理回路は、オーディオ信号のサンプリングされたスペクトル表示を創成するよう構成されたオーディオ・フィルタを備える請求項９に記載のヘッドセット。
【請求項１１】
フィルタは、信号表示のスペクトル成分と関連したフレームを生成し、ヘッドセットは、信号フレームを送信するよう構成された請求項１０に記載のヘッドセット。
【請求項１２】
フィルタは、一組のフィルタ値を反映する信号フレームを発生するためのメル・スケール・フィルタを含む請求項２または１１のいずれか１項に記載のヘッドセット。
【請求項１３】
第２のマイクロフォンをさらに備え、第１及び第２のマイクロフォンは、第１のマイクロフォンが、第２のマイクロフォンよりもユーザの音声音の一層大きい割合を検出するよう構成されて、信号を発生するよう構成されており、
処理回路は、ユーザが喋っているかどうかを決定するために、第１及び第２のマイクロフォンによって発生される信号を処理するよう構成されている、
請求項９〜１１のいずれか１項に記載のヘッドセット。
【請求項１４】
音声認識回路をさらに含む請求項７〜１３のいずれか１項に記載のヘッドセット。
【請求項１５】
前記処理回路は、音声信号がユーザの音声を表すかどうかを決定するために、オーディオ信号のサンプリングされたスペクトラム表示を形成するように構成された請求項９に記載のヘッドセット。
【請求項１６】
前記装置は、携帯可能な端末である請求項１〜１５のいずれか１項に記載のヘッドセット。
【請求項１７】
前記装置は、コンピュータである請求項１,２,９〜１１,１３〜１５のいずれか１項に記載のヘッドセット。
【請求項１８】
ユーザの音声を含むオーディオ信号を取得するために構成されたマイクロフォンシステムと、
ユーザの音声を検出するためにマイクロフォンシステムの出力に応答しかつユーザ音声の検出に基づいて離間した装置に送信されるマイクロフォンシステム出力データ量を減少するように構成された回路とを具備した請求項１に記載のヘッドセット。
【請求項１９】
前記回路はオーディオ信号をサンプリングするとともに、オーディオ信号のサンプリングされた表示を送信する請求項１８に記載のヘッドセット。
【請求項２０】
前記処理回路は、外部の音声信号からユーザの音声信号を区別するために取得されたオーディオ信号を処理するように構成された請求項９のヘッドセット。
【請求項２１】
前記ヘッドセットは、ユーザの口から異なる距離に位置する少なくとも二つのマイクロフォンを具備し、前記処理回路は、マイクロフォンの出力に応答するとともに、外部の音声信号からユーザの音声を区別するために処理するように構成された請求項２０のヘッドセット。
【請求項２２】
前記ヘッドセットは、離間した装置と無線で通信する請求項１〜１８のいずれか１項に記載のヘッドセット。
【請求項２３】
無線通信のためのシステムであって、
音声信号を処理するよう構成された少なくとも１つの装置と、
処理されるべきオーディオ信号を取得するためのヘッドセットとを具備し、
前記ヘッドセットは、音声信号がユーザの音声を含むことを決定するために音声検出回路を用いて取得された信号のサンプリングされた表示を処理するとともに、ユーザの音声が検出されたことの決定に基づいて、取得された音声信号のサンプリングされた表示を装置に無線送信するように構成された無線通信システム。
【請求項２４】
前記ヘッドセットは、オーディオ信号を受信するためのマイクロフォンを備える請求項２３に記載のシステム。
【請求項２５】
前記ヘッドセットは、オーディオ信号のディジタル化された表示を形成し、オーディオ信号がユーザの音声を表すか否かを検出するために、ディジタル化された表示を分析するよう構成された回路を備える請求項２３または２４のいずれか１項に記載のシステム。
【請求項２６】
前記ヘッドセットは、ディジタル化された信号表示のスペクトル成分と関連した信号フレームを創成するための回路を備え、前記ヘッドセットは、信号フレームを送信するよう構成された請求項２３または２５のいずれか１項に記載のシステム。
【請求項２７】
前記ヘッドセットは、一組のフィルタ値を反映する信号フレームを発生するためのメル・スケール・フィルタを含む請求項２６に記載のシステム。
【請求項２８】
前記装置は、送信された信号における音声パターンを認識するために、ヘッドセットからの送信されサンプリングされた表示を処理するための音声認識回路を備える請求項２３〜２７のいずれか１項に記載のシステム。
【請求項２９】
前記ヘッドセットは、前記装置への送信に先立って、信号表示に関する音声認識を行うよう構成された音声認識回路を備える請求項２３〜２８のいずれか１項に記載のシステム。
【請求項３０】
前記ヘッドセットは、取得されたオーディオ信号のサンプリングされたスペクトル表示を形成するよう構成された請求項２３〜２９のいずれか１項に記載のシステム。
【請求項３１】
前記ヘッドセットは、サンプリングされたスペクトル表示を前記装置に送信するよう構成された請求項３０に記載のシステム。
【請求項３２】
前記装置は、携帯可能な端末である請求項２３〜３１のいずれか１項に記載のシステム。
【請求項３３】
前記装置は、コンピュータである請求項２３〜３１のいずれか１項に記載のシステム。
【請求項３４】
さらに、第２のマイクロフォンを備え、第１及び第２のマイクロフォンは、第１のマイクロフォンが、第２のマイクロフォンよりもユーザの音声音の一層大きい割合を検出するよう構成されて、信号を発生するよう構成されており、
ヘッドセットは、ユーザの音声を検出するために、第１及び第２のマイクロフォンによって発生される信号を処理するよう構成されている、
請求項２３〜３３のいずれか１項に記載のシステム。
【請求項３５】
音声認識回路は、コードブック・ルックアップ回路を備える請求項２９に記載のシステム。
【請求項３６】
音声認識回路は、さらに、パターン・マッチング回路を備える請求項２９に記載のシステム。
【請求項３７】
ヘッドセットと少なくとも１つの装置との間に分散して配置される音声認識装置の分散構成部材を具備した請求項２９のシステム。
【請求項３８】
前記ヘッドセットは、前記装置に無線で接続されている請求項３７に記載のシステム。
【請求項３９】
前記ヘッドセットは、ユーザ音声信号プロセッサを含み、該ユーザ音声信号プロセッサは、マイクロフォン・システム出力をサンプリングして、前記装置に送信されるマイクロフォン・システム出力データの量を減少するよう構成された請求項３７または３８に記載のシステム。
【請求項４０】
前記マイクロフォン・システムは、ユーザの口からの異なった距離に位置付けられた少なくとも２つのマイクロフォンを備え、ヘッドセット内の前記音声検出器は、前記マイクロフォンからの入力を処理して、ユーザの音声を表さない信号の少なくとも部分的な抑制を行うように構成された請求項３９〜３９のいずれか１項に記載のシステム。
【請求項４１】
前記ヘッドセットは、ユーザ音声信号プロセッサを含み、前記ユーザ音声検出器は、前記ユーザ音声信号プロセッサの出力に応答し、ユーザ音声と外部のオーディオ信号との間で弁別して、それにより、ユーザ音声を表さない信号の少なくとも部分的な抑制を行うよう構成された請求項４０に記載のシステム。
【請求項４２】
前記装置は、ヘッドセット内に含まれていない構成要素の残余を含む局部コンピュータを含む請求項３７〜４１に記載のシステム。
【請求項４３】
前記局部コンピュータは、前記ヘッドセットに無線で連結される請求項４３に記載のシステム。
【請求項４４】
少なくとも１つの前記装置は、ヘッドセット内に含まれない構成要素の残余を含む中央コンピュータを含む請求項３７〜４１のいずれか１項に記載のシステム。
【請求項４５】
前記システムは、ヘッドセット、局部コンピュータ及び中央コンピュータを含み、前記ヘッドセット、局部コンピュータ及び中央コンピュータは、各々、前記構成要素の少なくとも１つを含む請求項３７〜４１のいずれか１項に記載のシステム。
【請求項４６】
前記局部コンピュータは前記ヘッドセットに無線に結合される請求項４４〜４５のいずれか１項に記載のシステム。
【請求項４７】
ヘッドセットと少なくとも１つの装置との間の無線通信のための方法であって、
ヘッドセットでオーディオ信号を取得するステップと、
オーディオ信号がユーザの音声を含むことを決定するために音声検出回路を用い、ヘッドセットでオーディオ信号のサンプリングされた表示を処理するステップと、
ユーザの音声を検出したという決定に基づいて、オーディオ信号のサンプリングされた表示を少なくとも１つの装置に送信するステップと
を含む方法。
【請求項４８】
ヘッドセットでのオーディオ信号に音声認識処理を行うステップをさらに含む請求項４７に記載の方法。
【請求項４９】
装置でのオーディオ信号に音声認識処理を行うステップをさらに含む請求項４７〜４８のいずれか１項に記載の方法。
【請求項５０】
サンプリングされた表示として信号フレームを形成し、該信号フレームを送信するステップをさらに含む請求項４７〜４９のいずれか１項に記載の方法。
【請求項５１】
信号フレームを発生するためにヘッドセットにおいてメル・スケール・フィルタを用いるステップをさらに含む請求項４８に記載の方法。
【請求項５２】
オーディオ信号のサンプリングされたスペクトル表示を形成するためにオーディオ信号を処理するステップをさらに含む請求項４７〜５１のいずれか１項に記載の方法。
【請求項５３】
前記装置は、携帯可能な端末である請求項４７〜５２に記載の方法。
【請求項５４】
前記装置は、コンピュータである請求項４７〜５３のいずれか１項に記載の方法。
【請求項５５】
ヘッドセットにおけるマイクロフォンでオーディオ信号を受信するステップをさらに含む請求項４７〜５４のいずれか１項に記載の方法。
【請求項５６】
ヘッドセットに位置付けられた第２のマイクロフォンでオーディオ信号を受信するステップをさらに含み、前記第１のマイクロフォンは、第２のマイクロフォンよりも大きい割合の音声音を検出し、
ユーザが喋っているか否かを決定するために、第１及び第２のマイクロフォンによって発生される信号を処理するようにした請求項５５に記載の方法。
【請求項５７】
音声認識分析のために、サンプリングされた表示のスペクトル変換を行うステップをさらに含む請求項４７〜５６に記載の方法。
【請求項５８】
コードブック・ルックアップ回路を動作させるために、かつコードブック値を出力するために、スペクトル変換を用いるステップをさらに含む請求項５７に記載の方法。
【請求項５９】
コードブック値でパターン・マッチング処理を行うステップをさらに含む請求項５８に記載の方法。